(57)【要約】【課題】入出力信号の制御を分散して行なうことができる伝送システムを提供する。【解決手段】機器ＩＯインタフェース２は、複数のモジュールＩＯインタフェース２＿１〜２＿４から送出された、拡散符号系列で符号化された拡散符号化信号を受けて、複数の拡散符号化信号を多重化した機器符号化信号を生成して、複数のモジュールＩＯインタフェース２＿１〜２＿４へ送信する。モジュールＩＯインタフェース２＿１〜２＿４は、原信号を宛先のモジュールＩＯインタフェースに対応した拡散符号系列で符号化した拡散符号化信号を生成し、機器ＩＯインタフェース２から送信された機器符号化信号から、所望のモジュールＩＯインタフェースからの信号に対応する逆拡散符号系列を用いて、所望のモジュールＩＯインタフェースからの原信号を再生信号として再生する。【選択図】図１
2012244341.tif 000002
【特許請求の範囲】
【請求項１】
外部との間で信号を送受信する機器ＩＯインタフェースと、複数の分散配置された機器モジュールのそれぞれに設けられた前記機器ＩＯインタフェースとの間の通信のためのモジュールＩＯインタフェースとからなる伝送システムであって、
前記機器ＩＯインタフェースは、
前記複数のモジュールＩＯインタフェースから送出された、拡散符号系列で符号化された拡散符号化信号を受けて、前記複数の拡散符号化信号を多重化した機器符号化信号を生成して、前記複数のモジュールＩＯインタフェースへ送信する合成部を備え、
前記モジュールＩＯインタフェースは、
原信号を宛先のモジュールＩＯインタフェースに対応した拡散符号系列で符号化した拡散符号化信号を生成する符号化部と、
前記機器ＩＯインタフェースから送信された機器符号化信号から、所望のモジュールＩＯインタフェースからの信号に対応する逆拡散符号系列を用いて、所望のモジュールＩＯインタフェースからの原信号を再生信号として再生する再生部とを備えた伝送システム。
【請求項２】
前記合成部は、前記複数の拡散符号化信号と、拡散符号化した時刻基準信号を多重化した機器符号化信号を生成し、
前記再生部は、前記機器ＩＯインタフェースから送信された機器符号化信号から、前記時刻基準信号に対応する逆拡散符号系列を用いて、前記時刻基準信号を再生信号として再生し、
前記符号化部は、前記再生した時刻基準信号に同期して、前記拡散符号化信号を前記機器モジュールへ送信する、請求項１記載の伝送システム。
【請求項３】
前記合成部は、前記複数の拡散符号化信号と、拡散符号化した外部信号を多重化した機器符号化信号を生成する、請求項１記載の伝送システム。
【請求項４】
拡散符号系列長をｎとしたときに、
前記モジュールＩＯインタフェースは、
ｎビットの容量を有し、前記機器ＩＯインタフェースから出力される機器符号化信号を格納するシフトレジスタを備え、
前記再生部は、前記シフトレジスタ内のｎビットのデータに基づいて、前記原信号を再生する、請求項１記載の伝送システム。
【請求項５】
拡散符号系列長をｎとしたときに、
（ｎ＋α）ビットの容量を有し、前記機器ＩＯインタフェースから出力される機器符号化信号を格納するシフトレジスタを備え、
前記再生部は、前記シフトレジスタ内の連続するｎビットのデータを１セットとしたときに、前記再生部は、複数のセットについて、前記原信号を再生する処理を行なって複数の原信号を得て、得られた原信号の中の最大値を再生信号とする、請求項１記載の伝送システム。
【請求項６】
前記拡散符号系列は、Ｍ系列である、請求項１〜５に記載の伝送システム。
【発明の詳細な説明】
【技術分野】
【０００１】
本発明は、伝送システムに関する。
【背景技術】
【０００２】
最近の信号通信の分野では、符号分割多重（ＣＤＭ：Code  Division  Multiplexing）が用いられている。この場合の拡散符号系列には、Ｍ系列やGold符号系列が知られる。M系列長がKnの場合には、Ｍ系列符号ビット配列の位相量を巡回的に変えることで、Kn個の符号ビットパターンが得られる。
【０００３】
これを信号伝送に使用する場合には、信号同期の問題がある。特許文献１では、信号強度と異なるパイロット信号を付加し、伝送信号検出を行なう必要があり非同期信号伝送のために別途検出手段が必要となる。
【０００４】
ＣＤＭ方式の例として特許文献１（特開２００４−３０４４４４号公報）には、送信側で、複数チャンネルの送信情報を個別に光符号器で符号化してから多重手段で多重化して光伝送路に送信し、該光伝送路で送信された光符号分割多重送信信号を受信側で多重分離手段で分離してから光復号器で復号するようにした光符号分割多重通信システムが開示されている。このシステムでは、送信側で、符号分割多重送信信号中にその最大振幅より大きな振幅のパイロット信号を周期的に挿入して送信し、受信側で所定周期のうちの最大振幅レベルをパイロット信号として検出する。
【０００５】
特許文献２（特開２００５−１０９５８０号公報）には、光符号分割多重アクセス通信システムが開示されている。このシステムでは、光源５からビット周期で生成される光パルス列をマーク用と、スペース用とに振り分ける変調器６と、変調器によって振り分けられたマーク用の光パルス列を符号化するマーク用光符号器７（光符号器Ａ）と、変調器によって振り分けられたスペース用の光パルス列を符号化するスペース用光符号器８（光符号器Ｂ）と、合波するための合波器９とを具備する送信機２と、マーク用光復号器１１（光復号器Ａ）と、スペース用光復号器（光復号器Ｂ）と、マーク信号を出力するフォトダイオード１３（光検波器Ａ）と、スペース信号を出力するフォトダイオード１４（光検波器Ｂ）とを具備する光検波器と、光検波器からの出力を計算する計算回路１５と、データ判定器１６を具備する受信機３とを具備する
【先行技術文献】
【特許文献】
【０００６】
【特許文献１】特開２００４−３０４４４４号公報
【特許文献２】特開２００５−１０９５８０号公報
【発明の概要】
【発明が解決しようとする課題】
【０００７】
しかしながら、特許文献１（特開２００４−３０４４４４号公報）および特許文献２（特開２００５−１０９５８０号公報）に記載された方式では、電子機器の入出力信号の制御は、機器コントローラが一括で集中して行なっている。そのため、機器コントローラの入出力処理の負荷が高いという問題がある。さらに、信号入力の割り込みが多発すると、機器コントローラ自身の信号処理能力が低下するという問題がある。
【０００８】
それゆえに、本発明の目的は、入出力信号の制御を分散して行なうことができる伝送システムを提供することである。
【課題を解決するための手段】
【０００９】
上記課題を解決するために、本発明は、外部との間で信号を送受信する機器ＩＯインタフェースと、複数の分散配置された機器モジュールのそれぞれに設けられた機器ＩＯインタフェースとの間の通信のためのモジュールＩＯインタフェースとからなる伝送システムであって、機器ＩＯインタフェースは、複数のモジュールＩＯインタフェースから送出された、拡散符号系列で符号化された拡散符号化信号を受けて、複数の拡散符号化信号を多重化した機器符号化信号を生成して、複数のモジュールＩＯインタフェースへ送信する合成部を備え、モジュールＩＯインタフェースは、原信号を宛先のモジュールＩＯインタフェースに対応した拡散符号系列で符号化した拡散符号化信号を生成する符号化部と、機器ＩＯインタフェースから送信された機器符号化信号から、所望のモジュールＩＯインタフェースからの信号に対応する逆拡散符号系列を用いて、所望のモジュールＩＯインタフェースからの原信号を再生信号として再生する再生部とを備える。
【発明の効果】
【００１０】
本発明によれば、入出力信号の制御を分散して行なうことができる。
【図面の簡単な説明】
【００１１】
【図１】本発明の実施形態の伝送システムのブロック図である。
【図２】拡散符号系列および逆拡散符号系列の例を表わす図である。
【図３】機器ＩＯインタフェースのブロック図である。
【図４】第１のモジュールＩＯインタフェースのブロック図である。
【図５】（ａ）は、拡散符号系列Ｐ14(t)を表わす図である。（ｂ）は、拡散符号系列Ｎ14(t)を表わす図である。（ｃ）は、時刻基準信号ＳSTD(t)を表わす図である。（ｄ）は、機器符号化信号ＭＳB(t)を表わす図である。
【図６】再生された信号Ｓ14(t)を表わす図である。
【図７】モジュール拡散符号化信号、機器符号化信号のタイミングの例を表わす図である。
【発明を実施するための形態】
【００１２】
以下、本発明の実施形態について図面を参照して説明する。
［第１の実施形態］
図１は、本発明の実施形態の伝送システムのブロック図である。
【００１３】
図１を参照して、この伝送システム１は、機器ＩＯインタフェース３と、機器モジュール６−１〜６−４に設けられたモジュールＩＯインタフェース２−１〜２−４と、伝送信号線４，５−１〜５−４と、端子１３ａ〜１３ｅを備える。
【００１４】
モジュールＩＯインタフェース２−１〜２−４の各々は、表示出力部、スイッチ入力部、機器コントローラなどとして機能する。
【００１５】
第１のモジュールＩＯインタフェース２−１は、モジュール拡散符号化信号ＭＳA1(t)を出力する。モジュール拡散符号化信号ＭＳA1(t)は、第２のモジュールＩＯインタフェース２−２への信号Ｓ21(t)を符号化したモジュール拡散符号化信号Ｍ21（Ｓ21(t)）、第３のモジュールＩＯインタフェース２−３への信号Ｓ31(t)を符号化したモジュール拡散符号化信号Ｍ31（Ｓ31(t)）、第４のモジュールＩＯインタフェース２−４への信号Ｓ41(t)を符号化したモジュール拡散符号化信号Ｍ41（Ｓ41(t)）、外部への信号Ｓext1(t)を符号化したモジュール拡散符号化信号Ｍext1（Ｓext1(t))のうちの１個、または複数個が合成された信号である。
【００１６】
第２のモジュールＩＯインタフェース２−２は、モジュール拡散符号化信号ＭＳA2(t)を出力する。モジュール拡散符号化信号ＭＳA2(t)は、第１のモジュールＩＯインタフェース２−１への信号Ｓ12(t)を符号化したモジュール拡散符号化信号Ｍ12（Ｓ12(t)）、第３のモジュールＩＯインタフェース２−３への信号Ｓ32(t)を符号化したモジュール拡散符号化信号Ｍ32（Ｓ32(t)）、第４のモジュールＩＯインタフェース２−４への信号Ｓ42(t)を符号化したモジュール拡散符号化信号Ｍ42（Ｓ42(t)）、外部への信号Ｓext2(t)を符号化したモジュール拡散符号化信号Ｍext2（Ｓext2(t))うちの１個、または複数個が合成された信号である。
【００１７】
第３のモジュールＩＯインタフェース２−３は、モジュール拡散符号化信号ＭＳA3(t)を出力する。モジュール拡散符号化信号ＭＳA3(t)は、１モジュールＩＯインタフェース２−１への信号Ｓ13(t)を符号化したモジュール拡散符号化信号Ｍ13（Ｓ13(t)）、第２のモジュールＩＯインタフェース２−２への信号Ｓ23(t)を符号化したモジュール拡散符号化信号Ｍ23（Ｓ23(t)）、第４のモジュールＩＯインタフェース２−４への信号Ｓ43(t)を符号化したモジュール拡散符号化信号Ｍ43（Ｓ43(t)）、外部への信号Ｓext3(t)を符号化したモジュール拡散符号化信号Ｍext3（Ｓext3(t))のうちの１個、または複数個が合成された信号である。
【００１８】
第４のモジュールＩＯインタフェース２−４は、モジュール拡散符号化信号ＭＳA4(t)を出力する。モジュール拡散符号化信号ＭＳA4(t)は、第１のモジュールＩＯインタフェース２−１への信号Ｓ14(t)を符号化したモジュール拡散符号化信号Ｍ14（Ｓ14(t)）、第２のモジュールＩＯインタフェース２−２への信号Ｓ24(t)を符号化したモジュール拡散符号化信号Ｍ24（Ｓ24(t)）、第３のモジュールＩＯインタフェース２−３への信号Ｓ34(t)を符号化したモジュール拡散符号化信号Ｍ34（Ｓ34(t)）、外部への信号Ｓext4(t)を符号化したモジュール拡散符号化信号Ｍext4（Ｓext4(t))のうちの１個または複数個が合成された信号である。
【００１９】
たとえば、第４のモジュールＩＯインタフェース２−４から第１のモジュールＩＯインタフェース２−１に、スイッチがオンとなったことを知らせる場合に、Ｓ41(t)を「１」とし、スイッチがオフとなったことを知らせる場合に、Ｓ41(t)を「０」にする。また、第１のモジュールＩＯインタフェース２−１から第４のモジュールＩＯインタフェース２−４に、コマンドを確認したことを知らせる場合に、Ｓ14(t)を「１」にする。
【００２０】
図２は、拡散符号系列および逆拡散符号系列の例を表わす図である。
上述のＳmn(t)およびＭmnについては、以下の関係を満たすものとする。
ｍ＝１〜４またはｅｘｔ、ｎ＝１〜４またはｅｘｔである。
拡散符号長が３１より、ｔ＝１〜３１であり、Ｓmn(t)は０または１である。
Ｍmn（Ｓmn(t))＝Ｓmn(t)×Ｐmn(t)＋／Ｓmn(t)×Ｎmn(t)であり、
Ｓmn(t)＝１のとき、／Ｓmn(t)＝０となり、Ｓmn(t)＝０のとき、／Ｓmn(t)＝１となる。
【００２１】
図２において、ＭSTD(t)は、時刻基準信号ＳSTD(t)を拡散符号化するための拡散符号系列であり、ＧＭSTD(t)は、ＭSTD(t)に対応する逆拡散符号系列である。
【００２２】
したがって、Ｓmn(t)＝１のときには、Ｍmn（Ｓmn(t))＝Ｐmn(t)であり、Ｓmn(t)＝０のときには、Ｍmn（Ｓmn(t))＝Ｎmn(t)である。
【００２３】
ここで、Ｐmn(t)、Ｎmn(t)、ＭSTD(t)は、Ｍ系列の拡散符号系列であり、ＧＰmn(t)、ＧＮmn(t）およびＧＭSTD(t)は、Ｍ系列の逆拡散符号系列である。
【００２４】
Ｐmn(t)、Ｎmn(t)、ＭSTD(t)の各ビットの値は、０または１であり、ＧＰmn(t)、ＧＮmn(t）およびＧＭSTD(t)の各ビットの値は、＋１または−１である。
【００２５】
原信号をＳ（ｔ）としたときに拡散符号系列Ｍによって得られるＭ（Ｓ(t)）を拡散符号化信号という。拡散符号化信号Ｍ（S(t)）と逆拡散符号系列Ｇとの相関処理によって、原信号Ｓ（ｔ）が得られる。
【００２６】
拡散符号系列で拡散符号化された拡散符号化信号は、信号伝送路上での相互干渉を受けないことから、互いに独立して多重化送信が可能となる。また、従来機器では、それぞれの機器モジュールごとに対する信号伝送を統御するため機器コントローラがタイミング制御を行っていたのに対して、本実施の形態では、機器ＩＯインタフェースが出力した時刻基準信号に従って、モジュールＩＯインタフェース相互間で信号伝送が行なわれるため、同期管理はされない。
【００２７】
機器ＩＯインタフェース３は、機器外部との入出力信号を処理する。機器ＩＯインタフェース３は、機器符号化信号ＭＳB(t)を出力する。
【００２８】
伝送信号線４は、機器ＩＯインタフェース３から出力される機器符号化信号ＭＳB(t)をモジュールＩＯインタフェース２−１〜２−４へ伝送する。
【００２９】
伝送信号線５−１は、第１のモジュールＩＯインタフェース２−１から出力されるモジュール拡散符号化信号ＭＳA1(t)を機器ＩＯインタフェース３へ伝送する。
【００３０】
伝送信号線５−２は、第２のモジュールＩＯインタフェース２−２から出力されるモジュール拡散符号化信号ＭＳA2(t)を機器ＩＯインタフェース３へ伝送する。
【００３１】
伝送信号線５−３は、第３のモジュールＩＯインタフェース２−３から出力されるモジュール拡散符号化信号ＭＳA3(t)を機器ＩＯインタフェース３へ伝送する。
【００３２】
伝送信号線５−４は、第４のモジュールＩＯインタフェース２−４から出力されるモジュール拡散符号化信号ＭＳA4(t)を機器ＩＯインタフェース３へ伝送する。
【００３３】
伝送信号線４および５−１〜５−４は、信号ケーブルで構成されるものとする。
（機器ＩＯインタフェース）
図３は、機器ＩＯインタフェースのブロック図である。
【００３４】
入力端子１３ｂは、外部から外部符号化信号ＭＳext(t)を受ける。外部符号化信号ＭＳext(t)は、外部から第１のモジュールＩＯインタフェース２−１への信号Ｓ1ext(t)を符号化した外部符号化信号Ｍ1ext（Ｓ1ext(t))、外部から第２のモジュールＩＯインタフェース２−２への信号Ｓ2ext(t)を符号化した外部符号化信号Ｍ2ext（Ｓ2ext(t))、外部から第３のモジュールＩＯインタフェース２−３への信号Ｓ3ext(t)を符号化した外部符号化信号Ｍ3ext（Ｓ3ext(t))、外部から第４のモジュールＩＯインタフェース２−４への信号Ｓ4ext(t)を符号化した外部符号化信号Ｍ4ext（Ｓ4ext(t))のうちの１個、または複数個が合成された信号である。
【００３５】
出力端子１３ａは、外部へ機器符号化信号ＭＳB(t)を出力する。
出力端子１３ｂは、機器符号化信号ＭＳB(t)をモジュールＩＯインタフェース２−１〜２−４と接続される伝送信号線４へ出力する。
【００３６】
入力端子１３ｃは、モジュールＩＯインタフェース２−１〜２−４から伝送信号線５−１〜５−４を通じてモジュール拡散符号化信号ＭＳA1(t)、ＭＳA2(t)、ＭＳA3(t)、ＭＳA4(t)を受ける。
【００３７】
入力端子１３ｄは、外部から外部符号化信号ＭＳext(t)を受ける。
入力端子１３ｅは、クロックＣＬＫを受ける。
【００３８】
時刻基準信号発生部３３は、入力端子１３ｅから入力されたクロックＣＬＫに従って、モジュール６−１〜６−４での再生処理を有利にするためのタイミング処理の基準となる時刻基準信号ＳSTD(t)を拡散符号化した拡散時刻基準信号ＭSTD（ＳSTD(t)）を信号合成部３１へ出力する。
【００３９】
外部信号保持部３４は、入力端子１３ｄから非同期で入力された外部符号化信号ＭＳext(t)をＦＩＦＯ機能により保持する。
【００４０】
信号同期部３２は、入力端子１３ｃから入力されたモジュール拡散符号化信号ＭＳA1(t)、ＭＳA2(t)、ＭＳA3(t)、ＭＳA4(t)および外部符号化信号ＭＳext(t)とを、クロックＣＬＫの１周期内でタイミングが揃うように調整する。
【００４１】
信号合成部３１は、式（１）に示すように、信号同期部３２から出力されるモジュール拡散符号化信号ＭＳA1(t)、ＭＳA2(t)、ＭＳA3(t)、ＭＳA4(t)および外部符号化信号ＭＳext(t)と、拡散時刻基準信号ＭSTD(1)とを合成して、機器符号化信号ＭＳB(t)を生成して、出力端子１３ａおよび１３ｂへ出力する。
【００４２】
ＭＳB(t)＝ＭＳA1(t)＋ＭＳA2(t)＋ＭＳA3(t)＋ＭＳA4(t)＋ＭＳext(t)＋ＭSTD（ＳSTD(t)）  ・・・（１）
ここで、たとえば、ＭＳA1(t)＝Ｍ21（Ｓ21(t)）、ＭＳA2(t)＝Ｍ12（Ｓ12(t)）、ＭＳA3(t)＝Ｍ13（Ｓ13(t)）、ＭＳA4(t)＝Ｍ14（Ｓ14(t)）、ＭＳext(t)＝Ｍ1ext（Ｓ1ext(t))
の場合には、式（１）は以下の式となる。
【００４３】
ＭＳB(t)＝Ｍ21（Ｓ21(t)）＋Ｍ12（Ｓ12(t)）＋Ｍ13（Ｓ13(t)）＋Ｍ14（Ｓ14(t)）＋Ｍ1ext（Ｓ1ext(t))＋ＭSTD（ＳSTD(t)）  ・・・（２）
（モジュールＩＯインタフェース）
図４は、第１のモジュールＩＯインタフェースのブロック図である。第２、第３、第４のモジュールＩＯインタフェースも、これと同様である。
【００４４】
この第１のモジュールＩＯインタフェースは、再生部２１１と、符号化部２１２と、シフトレジスタ（ＳＲ）２１３と、端子１２１ａ〜１２１ｇとを備える。
【００４５】
出力端子１２１ａは、モジュール拡散符号化信号ＭＳA1(t)を出力する。
入力端子１２１ｂは、機器ＩＯインタフェース３から機器符号化信号ＭＳB(t)を受ける。
【００４６】
入力端子１２３ｃは、機器モジュール内の構成要素から送信先指定信号Ｓdevを受ける。
【００４７】
入力端子１２１ｄは、機器モジュール内の構成要素から送信ビット信号Ｓbit(t)を受ける。
【００４８】
クロック端子１２１ｅは、機器モジュール内のクロック供給源からクロックＣＬＫを受ける。クロックＣＬＫは、シフトレジスタ２１３、再生部２１１、および符号化部２１２へ供給されて、これらの構成要素は、クロックＣＬＫに従って動作する。
【００４９】
出力端子１２１ｆは、機器モジュール内の構成要素へ再生信号ＳREC(t)を出力する。
出力端子ｇは、機器モジュール内の構成要素へ送信要求信号Ｓenaを出力する。
【００５０】
シフトレジスタ２１３は、ｎビットのデータ容量を有する。ｎは、拡散符号長である。
シフトレジスタ２１３は、クロックＣＬＫに同期して、入力された機器符号化信号ＭＳB(t)をシフトしつつ保持する。シフトレジスタ２１３は、再生部２１１から受信完了信号ＴＲＩＧを受けると、保持している信号をリセットする。
【００５１】
再生部２１１は、シフトレジスタ２１３にｎビットのデータが格納された時点で、シフトレジスタ２１３内に保持されている拡散符号長に相当するｎビットデータを取り込んで、次式の演算を実施する。再生部２１１は、シフトレジスタ２１３内のｎビットデータを取り込んだ後受信完了信号ＴＲＩＧをシフトレジスタ２１３に出力する。
【００５２】
［Ｒmm］＝［Ｇm,n］×［Ｃn1］      ・・・（３）
ここで、［Ｃn1］は、ｎ行１列の列ベクトルである。［Ｃn1］の要素は、シフトレジスタ２１３に格納されているｎビット（＝３１ビット）の機器符号化信号ＭＳB(t)の各ビットである。［Ｇmn］は、ｍ個の逆拡散系列を表わすｍ行ｎ列の行列である。各行はｎビットの逆拡散符号系列である。［Ｒmn］は、ｍ個の再生信号を表わすｍ行ｎ列の行列である。各行はｎビットの再生信号ＳREC(t)である。
【００５３】
機器符号化信号ＭＳBが式（２）で表わされる場合において、第１のモジュールＩＯインタフェース２−１が、第４のモジュールＩＯインタフェース２−４からの信号Ｓ14(t)、／Ｓ14(t)と、時刻基準信号ＳSTD(t)を再生する場合には、［Ｇmn]＝［ＧＰ14(t)、ＧＮ14(t)、ＧＭSTD(t)］となる。
【００５４】
このときには、以下の式が成り立つ。ただし、＊は、符号相関処理を表わす。
ＧＰ14＊ＭＳB(t)＝ＧＰ14＊（Ｍ14（Ｓ14(t)）＋Ｍ13（Ｓ13(t)）＋Ｍ12（Ｓ12(t)）＋Ｍ1ext（Ｓ1ext(t))＋ＭSTD（ＳSTD(t)））  ・・・（４）
拡散系列および逆拡散系列の関係から、以下の２式が成り立つ
ＧＰ14＊（Ｍ13（Ｓ13(t)）＋Ｍ12（Ｓ12(t)）＋Ｍ1ext（Ｓ1ext(t))＋ＭSTD（ＳSTD(t)））＝０、・・・  （５）
ＧＰ14＊（Ｍ14（Ｓ14(t)）＝Ｓ14(t)  ・・・（６）
式（５）および（６）より、式（４）を変形すると、次式が得られる。
【００５５】
ＧＰ14＊ＭＳB(t)＝Ｓ14(t)  ・・・（７）
同様にして、次の２つの式が得られる。
【００５６】
ＧＮ14＊ＭＳB(t)＝／Ｓ14(t)  ・・・（８）
ＧＭSTD(t)＊ＭＳB(t)＝ＳSTD(t)  ・・・（９）
したがって、［Ｒmn］＝［Ｓ14(t)、／Ｓ14(t)、ＳSTD(t)］が得られる。すなわち、再生信号ＳREC(t)は、Ｓ14(t)、／Ｓ14(t)、ＳSTD(t)である。
【００５７】
符号化部２１２は、送信先指定信号Ｓdevおよび送信ビット信号Ｓbit(t)に対応して拡散符号系列を選択する。たとえば、符号化部２１２は、送信先指定信号Ｓdevが第４のモジュールＩＯインタフェースを表わし、送信ビット信号Ｓbit(t)が「１」を示すときには、拡散符号系列Ｐ41(t)を選択する。符号化部２１２は、送信要求信号Ｓenaをディセーブル状態にした後、選択した拡散符号系列で符号化したモジュール拡散符号化信号ＭＳA1(t)を時刻基準信号ＳSTD(t）で示されるタイミングに従って出力する。
【００５８】
（再生の例）
次に、再生の例を示す。
【００５９】
図５（ａ）は、拡散符号系列Ｐ14(t)を表わす図である。
図５（ｂ）は、拡散符号系列Ｎ14(t)を表わす図である。
【００６０】
図５（ｃ）は、時刻基準信号ＳSTD(t)）を表わす図である。
図５（ｄ）は、機器符号化信号ＭＳB(t)を表わす図である。
【００６１】
図６は、再生された信号Ｓ14(t)を表わす図である。
図７は、モジュール拡散符号化信号、機器符号化信号のタイミングの例を表わす図である。
【００６２】
機器ＩＯインタフェースへ、モジュール拡散符号化信号ＭＳA1(t)、ＭＳA2(t)、ＭＳA3(t)、ＭＳA4(t)が到達する時刻がばらくつことによって、機器ＩＯインタフェースで合成される機器符号拡散信号Ｓ4(t)は、拡散符号長よりも長くなる。しかし、時刻基準信号ＳSTD(t)によって所謂、同期流れが起きないようにすることができる。
【００６３】
以上のように、従来の機器コントローラが各機器モジュールに対し制御コマンドを発信し、これに呼応して各機器モジュールが出力信号を送出するものであったが、本実施の形態では、機器ＩＯインタフェースは、多重化信号を伝送する。これによって、各々の送信モジュールが任意時刻に信号を発信し、受信モジュールが個々に反応して受信するので、機器コントローラの入出力の信号処理に係る負荷が軽減できる。特に、電子機器に要求するコマンド信号や、電子機器から送出されるテレメトリー信号は、機器内部信号と共通形式なので、信号変換や時間調整などの機器ＩＯインタフェースの処理負荷が軽減される。
【００６４】
また、信号多重化伝送の下では送信周期を適宜変えることができ、柔軟な信号伝送設計が可能となる。伝送信号の送信周期がそれぞれ独立調整できるので、緊急性を要するアラーム信号と、高周期信号、低周期信号などが混在して伝送できる。また、電子機器内部および外部の信号伝送に共通の拡散符号化信号を適用したので、電磁環境下でのノイズによる機器の誤動作の影響は改善できる点で、信頼性の高い信号伝送が提供できる。さらに、拡散符号化による信号伝送信頼性が向上させる。各モジュールＩＯインタフェース相互間のタイミング制御が不要である。非同期送受信によるので、即時性が要求される警報信号の伝送に好適である。
【００６５】
［第２の実施形態］
機器符号化信号ＭＳB(t)は、信号の伝播遅延などの時間遅れによって、シフトレジスタ２１３での３１回のシフトするタイミング通りに受信できるとは限らない。本実施の形態では、このような時間遅れに対処する方式を説明する。
【００６６】
シフトレジスタ２１３の長さは、格納できるビット数を機器符号化信号ＭＳB(t)のビット数ｎよりも多くするために、ｎ＋αとする。ここで、ｎは拡散符号長の３１であり、αはたとえば４とする。
【００６７】
再生部２１１は、シフトレジスタ２１３の第１ビット〜第３１ビットを［Ｃn1］としたときに式（２）で得られる再生信号の値（第１の値）と、シフトレジスタ２１３の第２ビット〜第３２ビットを［Ｃn1］としたときに式（２）で得られる再生信号の値（第２の値）と、シフトレジスタ２１３の第３ビット〜第３３ビットを［Ｃn1］としたときに式（２）で得られる再生信号の値（第３の値）と、シフトレジスタ２１３の第４ビット〜第３４ビットを［Ｃn1］としたときに式（２）で得られる再生信号の値（第４の値）と、シフトレジスタ２１３の第５ビット〜第３５ビットを［Ｃn1］としたときに式（２）で得られる再生信号の値（第５の値）とを計算する。再生部２１１は、第１〜第５の値の最大値を再生信号ＳREC (t）として出力する。
【００６８】
［変形例］
本発明の実施形態では、信号伝送線４および５は信号ケーブルによって構成されるものとして説明したが、ケーブルレスであってもよく、伝播媒体は電磁波、レーザ光などであってもよい。
【００６９】
［補足］
信号伝送に使用される拡散符号系列には、Ｍ系列やＧｏｌｄ符号系列が知られる。Ｍ系列長が１０２３の場合には、Ｍ系列の符号ビット配列の位相量を巡回的に変えることで、１０２３個の符号ビットパターン（１０２３種類の信号）が得られる。
【００７０】
しかし、雑音余裕（ＳＮＲ）を１０とすると、伝送路上で同時に存在が許容できる最大信号数は、１０２個（つまり、１０２ビット）となる。
【００７１】
モジュール数が１０台の場合には、モジュール１個当りで同時に送信できる信号の数は、平均して１０個（つまり、１０ビット）となる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１  伝送システム、２−１〜２−４  モジュールＩＯインタフェース、３  機器ＩＯインタフェース、４，５−１〜５−４  伝送信号線、６−１〜６−４  機器モジュール、１３ａ〜１３ｅ，１２１ａ〜１２１ｇ  端子。
【図１】
2012244341.tif 000003
【図２】
2012244341.tif 000004
【図３】
2012244341.tif 000005
【図４】
2012244341.tif 000006
【図５】
2012244341.tif 000007
【図６】
2012244341.tif 000008
【図７】
2012244341.tif 000009